(57)【要約】【課題】比較的広い単一の空間内に配置して任意の特定機能空間を形成する間仕切り用組立て家具を提供する。【解決手段】本発明のベーシック組立て家具１０、クローゼット用組立て家具２０、ＴＶ台用組立て家具３０、それに、キッチン用組立て家具４０を図７に示す空間に配置した例を示す。同図に示す例において、前記組立て家具を配置することによって、リビング・ダイニング、主寝室、キッチン廊下、収納のための空間を創り出すことができる。リビングと寝室を創り出すに際しては完全に視界を遮るための廊下がウォークインクローゼットとしての機能を持たせている。これによって、玄関ホールとの境界も形成される。【選択図】図８
2011000427.tif 000002
【特許請求の範囲】
【請求項１】
比較的厚めの天板と、
前記天板と同一厚み、同一巾、同一長さの板材によって形成された背板と、前記天板と同一厚み、同一巾であって、この巾と同一高さの板材からなる両側板から形成された複数の部材からなり、
前記天板と前記各部材の背板と両側板との内外面には化粧板が施されており、
前記天板と前記複数の部材を任意に選択して組立てた組立て家具。
【請求項２】
前記複数の部材が、背板と両側板から形成される第１の部材と、この第１の部材の上面に天板を設けた第２の部材と、この第１の部材に機能部材を設けた第３の部材からなる請求項１に記載の組立て家具。
【請求項３】
請求項１または請求項２に記載の組立て家具の複数個を、居住空間に配置して、寝室、リビング、キッチン、廊下等の機能空間を創り出す組立て家具の配置方法。
【発明の詳細な説明】
【技術分野】
【０００１】
この発明は、複数の組立て部材を組み合わせて形成された家屋空間を間仕切りするための組立て家具に関する。
【背景技術】
【０００２】
家屋内には、リビング、ダイニングなどの複数の生活空間を設けられ、それぞれの生活空間には衣服、種々の小物を収納するラック、テレビを載置するテレビ台、その他の調度品のための大きさや形状がまちまちの複数種類の収納家具を隅位置に配置するのが通常である。
【０００３】
これらの複数種類の収納家具を配置するに当たっては、それぞれの家具の機能と大きさに対応できない空間的な制限がある場合が多い。
【０００４】
このような収納家具の設置箇所の空間的な制限に対応するため、全体の専有面積それぞれの機能を有するユニットを集合した、いわゆるユニット家具が多く提案されている。
【０００５】
例えば、特許文献１には、様々な機能のバリエーションを有する組合せ家具を簡単にしかも安価に展開できる組合せ家具が提案されている。この組合せ家具は、床面に設置される１又は複数のベース収納ユニットと、同じく床面に設置される１又は複数の縦長の第１収納ユニットと、前記ベース収納ユニット上に設置される１又は複数の第２収納ユニットとを適宜組み合わせて、相互間を連結部材を介して連結することによって組立てられるものである。
【０００６】
そして、その効果として、各収納ユニットとして、高さや幅、収納形態の異なる数種類のタイプを用意することによって、バリエーション展開の幅がさらに拡大し、使用者の要望に対してよりきめ細やかに対応することができるとしている。
【先行技術文献】
【特許文献】
【０００７】
【特許文献１】特開２０００−３０８５３９
【発明の概要】
【発明が解決しようとする課題】
【０００８】
しかしながら、従来の組立て家具は、専ら中央部の居住空間を阻害しないことが基本となっているため、部屋の隅部の狭い域に配置するように設計されており、そのため、配置上も、収納機能も制限されるという欠点がある。
【０００９】
また、収納態様を考えたとき、従来は、用途に合わせてデザインも素材も大きさも違う家具を購入していた。そのため、空間に統一感はなく、なおかつ、家具は壁側に設置しなければならないようになっていた。
【００１０】
一方、分譲マンションに限らず一戸建て住宅においても、近年のモデルとして、１０畳以上、あるいは、２０畳以上の比較的広い空間が中心になっており、その部屋に配置される家具も隅部に限られず任意の場所に対応でき、間仕切りとしての機能を有するものが望まれるようになってきた。
【００１１】
この発明の第１の課題は、任意の物品や器具の収納機能を有し、比較的広い部屋空間に任意の位置にセンターウォールとして配置でき、また、間仕切り用としても好適に使用される組立て家具を提供することにある。
【００１２】
他の課題は、それに加えて、簡単に組立てと分解ができ、任意に機能の追加も可能な組立て家具を提供することにある。
【００１３】
また、他の課題は、比較的広い部屋空間に任意に配置でき、部屋の間仕切り、センターウォールとして機能する組立て家具を提供することにある。
【００１４】
さらに、他の課題は、基礎的な大きさ、デザインが同じ単位部材からなり、用途により自由な組み合わせを可能にし、さらには、居住空間の任意の箇所に自在に配置できる組立て家具を提供することにある。
【課題を解決するための手段】
【００１５】
この発明は、比較的厚めの板材によって形成された天板と、前記天板と同一厚み、同一巾、同一長さの板材によって形成された背板と、前記天板と同一厚み、同一巾であって、この巾と同一高さの板材からなる両側板とから形成される組立て部材を任意数に積み上げたことを基本構成とする間仕切り用の組立て家具である。
【００１６】
前記基本構成を有する組立て家具の任意間隔位置に、天板を配置して、任意間隔の段付き家具としたり、組立部材の数によって高さを調整して各種電気器具配置家具を配置したり、任意高さ位置に水回り、炊事器具を配置して、炊事専門の家具とすることもできる。
【００１７】
上記各部材の高さ、巾、長さ、さらには厚みが、天板を基準にして一定のサイズとなっているため外面がスムーズであって、さらに、その外面に化粧板を施すことによって、部材の数によらず、何れの組立物も単独に家具として使用し、また、パーティション機能とともに各種の用度品を収納する空間を有する組立て家具とすることができる。
【００１８】
この複数種類の部材は、前記両側板と背板からなる部材を第１の部材とし、これを基礎部材として、これに天板を設けた部材を第２の部材とし、さらに、これらの部材に、引き出し、棚、その他の洗面、調理器具を設けた第３の部材を任意に組み合わせて、種々の機能を持つパーティション機能を持つ家具とすることもできる。
【００１９】
さらに、各部材を他の部材と組み合わせた際、組立て家具の正面、側面は勿論、それぞれの部材の背面には化粧面が形成されるので、居住空間の中央に組立て家具は、居住空間の環境と違和感のないパーティション、センターウォールとして機能させることができる。
【００２０】
それぞれの部材と天板用の素材としては、木材、プラスチック、金属等、任意の素材を用いることができ、また、各部材の組立てには、通常のダボ、または、スライド型の組立て、さらに、組立て金具を使用することができる。  
【００２１】
とくに、耐震性の点から、組立て家具に底面には、耐震ゴムを配置した上に、組立て家具全体を一体的に固定することが有効である。
【発明の効果】
【００２２】
この発明による組立て家具は、各組立部材単位を任意組み合わせることによって、ライフスタイルの変化や成長に合わせて自由に収納機能を変え、また、高さと収納量の大きさに調整することができ、また、複数の組立て家具を連結してセンターウォールとしての機能を持たせることができる。
【００２３】
さらに、その組立て配置に際しては、格別の熟練を要することなく行うことができるので、居住環境の変化に応じて簡単に部屋内の模様替えが可能となる。
【図面の簡単な説明】
【００２４】
【図１】本発明に係る組立て家具の構成部材の例を示す。
【図２】本発明の構成部材を使用したパーティション用の家具を示す。
【図３】同じく、クロークに適した組立て家具を示す。
【図４】同じく、テレビ台付の組立て家具を示す。
【図５】同じく、キッチン用組立て家具を示す。
【図６】同じく、洗面用組立て家具を示す。
【図７】家具を配置する前のワンルームの居住空間を示す。
【図８】本発明の家具を配置したのちの居住空間を示す。
【図９】本発明の家具を配置した居住空間の斜景を示す。
【図１０】本発明の家具を組立てるに際しての各構成部材を相互に固定するための手段を説明する図である。
【図１１】同じく各構成部材の固定手段の配置を示す。
【図１２】固定手段の取り付け要領を示す。
【発明を実施するための形態】
【００２５】
以下、本発明の実施の形態を、素材として厚みが１０ｍｍの木材を使用した例によって説明する。
【実施例】
【００２６】
（組立て家具のための構成部材の説明）
図１は本発明の組立て家具の構成部材の例を示す。同図において、１０１は、長さが、１６８０ｍｍ、巾が６００ｍｍ、厚みが１０ｍｍの組立て家具の天板を示し、１は四角形の側板１１と背板１２からなる第１の部材を示し、２はこの第１の部材１に、天板１０１よりも厚みが薄い部材天板２１を取り付けた第２の部材を示し、また、第２の部材２に扉３１を設けた第３の部材３を示す。さらに、４と５は、それぞれ、第２の部材２に引き出し４１、５１とを取り付けた第４の部材と第５の部材を示している。５１は、第４の部材４の引き出し４１に代えて、第４の部材に取り付けたガラス製の引き出しを示す。上記部材２、３，４の側板と背板のサイズは、部材１の側板１１と背板１２と同一サイズで形成され、これによって、部材２から４の外形サイズは、部材１の外形と同一に形成され、背板または側板の適宜の頂面にダボ穴を設けることによって、ダボ材を用いて任意に相互に連結できるようになっている。また、それぞれの部材には、各種の金具を埋め込んだ構造とすることで、さらに、各部材の組立を簡単にすることもできる。
【００２７】
また、図１に示す６と７は、それぞれ、本発明における組立て家具の部材として用いる調理用の部材と、洗面用の部材を示し、それぞれの側板と背板のサイズも、組立部材１の側板１１と背板１２と同一サイズで形成され、第２から第５の部材同様に、ダボ機構によって組立てが可能な構造となっている。
【００２８】
これらの部材の各面は、居住空間に露出された状態で他の部材と連結され、組立て家具の一部として露出されるようになるので、全面にタイルや大理石加工を含めた各種の化粧板加工を施しておく。
【００２９】
（組立て家具の例）
図２から図６は、図１に示す構成部材を使用して組立てた家具の例を示す。
【００３０】
図２に示す第１の組立て家具１０は、図１に示す部材１を５個積み重ね、この頂部に天板１０１を取り付けた一番ベーシックな組立て家具ユニットであって、部屋の間仕切りやベッドのバックボードとして使用できる。
【００３１】
図３に示す第２の組立て家具２０は、天板１０１に第１の部材１に第２の部材２を、さらに第１の部材１を２個と、引き出し付部材４をダボ連結したものである。この家具は、主にクローゼットとして使用され、このユニットを間仕切りとして配置することでＷ．Ｉ．Ｃ.（ウォークインクローゼット）として部屋創りが可能になる。
【００３２】
図４に示す第３の組立て家具３０は、図３に示す第２の組立て家具２０の下位部材４の代わりに、図１に５１として示すガラス引き出しを用いたもので、主にＴＶ台として使用される。
【００３３】
図５に示す第４の組立て家具４０は、図１に示す第３の部材３に、第１の部材１を２個組合せ、その下位置にキッチン用部材６を配置し、さらにその下に、第１の部材１を配置し、キッチン用部材６に配管４０１で設けて完成する。この家具は、キッチン家具４０として機能し、設備機器は後付けとする。このキッチンも部屋の中央部に設置することもでき、間仕切りとしての機能も具備する。
【００３４】
図６に示す第５の組立て家具５０は、図５に示す第４の組立て家具４０に設けたキッチン用部材６の代わりに、図１に示す洗面具付部材７を取り付け、その上位置の部材１に鏡５０１を設け、洗面具に配管５０２を設けたものである。そして、この組立て家具も、間仕切りとしての機能も持ち合わせる。
【００３５】
上記の各種の組立て家具には、図示しない各種の機能材を任意に組み合わせることも可能である。
【００３６】
（組立て家具の配置例）
図７は、本発明の組立て家具を配置する前の居住空間を示す。この場合、リビング、寝室、廊下、と区別がつかない状況になっており、収納空間が不足している。従来の収納棚を窓際、壁際等に配置したのでは、折角の広い居住空間は狭くなってしまう。
【００３７】
そこで、前記本願発明に係る構成部材を利用した組立て家具を居住空間に配置することによって、収納空間を充分にとることができ、しかも、組立て家具を居住空間に配置することによって自然なパーティション（センターウォール）を形成することができる。
【００３８】
図８は、上記の本発明のベーシック組立て家具１０、クローゼット用組立て家具２０，ＴＶ台用組立て家具３０，それに、キッチン用組立て家具４０を図７に示す空間に配置した例を示す。同図に示す例において、前記組立て家具を配置することによって、リビング・ダイニング、主寝室、キッチン廊下、収納のための空間を創り出すことができる。リビングと寝室を創り出すに際しては完全に視界を遮るための廊下がウォークインクローゼットとしての機能を持たせている。これによって、玄関ホールとの境界も形成される。
【００３９】
また、リビング空間は組立て家具を設置するだけで完成する。一方、寝室にもテレビ台を置くためセンターウォールとして家具３０を配置する。ダイニングには、キッチンが丸見えのためにここにもセンターウォールを計画し、家具４０を配置することで食器棚も形成される。リビングとキッチンの空間を分けることと収納箇所を創りだすことができる。
【００４０】
この例は、新婚夫婦用として創り出されたものであるが、子供の誕生と成長に応じて、内装専門家の手を煩わせることなく、各家具の組立方と配置を変更するだけで大がかりなリフォーム工事をすることなく、手軽に間取りを変更できる。
【００４１】
また、図９は、本発明の組立て家具を配置した居住空間内部を示す斜視図である。これによって、居住空間に配置された本発明の組立て家具は、任意に収納庫付のセンターウォールを空間に圧迫感を与えることなく配置でき、快適な居住空間を形成できる。このように、本願発明の組立て家具は、シンプルなデザインで如何なるインテリアにも溶け込んだ雰囲気とすることができる。
【００４２】
（家具の組立と固定）
本発明の家具の組立てに際しては、前述のとおり、通常、各部材の端頂面にダボ穴を設け、それらのダボ穴間をダボ材を用いて相互に連結できるようになっており、また、それぞれのダボ穴に特殊な取り付け金具を埋め込んだ構造とすることで、さらに、各部材の組立を簡単に、且つ、強固にすることができる。
【００４３】
さらに、本発明の家具を広いフロワー空間のセンターウォールまたは間仕切りとして居住空間内に配置するに際しては、震度が６以上の地震に対しての耐震対策を採る必要がある。
【００４４】
この耐震対策としては、例えば、フロワーと組立て家具の間に耐震ゴムを配置したり、構成部材間を各種の固定金具によって連結することもできるが、本発明に係る組立て家具をセンターウォールとして家屋内空間内に配置するためには、この固定金具が家具の外面に露出して著しく折角の家具の外観を損なうという問題を生じる。
【００４５】
図１０から図１２に示す耐震構造６は、図２に示す構成部材１によって組立てられた家具の外観と機能、さらには、組立てに際しての簡便さに悪影響を及ぼすことなく、耐震機能を発揮できる。
【００４６】
それぞれの図において、図１０は、この耐震構造６を図２の家具１０において、天板１０１を取付ける前の第１の構成部材１−１，１−２，１−３，１−４、１−５を５段に組立てた家具本体１０２の側板に施したものである。なお、７は、構成部材１−１，１−２，１−３，１−４、１−５との間、それに、天板１０１と最上緞の構成部材１−１の間を連結するダボを示す。
【００４７】
耐震構造６は、各構成部材１−１，１−２，１−３，１−４、１−５のそれぞれの側板１１内の上下方向に緊張状態で通された２ｍｍ径程度のワイヤ６１によって形成されている。
【００４８】
図１１は、耐震構造６を構成するワイヤ６１の挿入部を、図１０に示す組立て家具１０の本体１０２を構成する各構成部材１の上面によって示す図である。この図１１において、それぞれの構成部材１の上端面には、複数のダボ７の他に、その側板１１の上端面には、強化用ワイヤを通すためのワイヤ挿入部６２が複数箇所（図示の場合は、それぞれの側板の上端面に２箇所）に形成されている。このワイヤ挿入部６２から下方向にワイヤの挿通穴６３が、組み立てられた組立家具１０を構成する部材１−１から１−５にかけて穿設されている。
【００４９】
さらに、図１２は、ワイヤ６１によって形成された耐震構造６の全体を構成部材１−１〜１−５の断面によって示す。
【００５０】
図１０を参照して、図１２に示す最上段の構成部材１−１の頂部面に形成されたワイヤ挿入部６２は、構成部材１−１の内部を真下に穿設された挿通穴６３に通じ、さらに、この最上段の構成部材１−１に形成された挿通穴６３は、第２段の構成部材１−２の挿入部６２から挿通穴６３に通じ、最終的には、最下段の構成部材１−５の挿入穴６２から最下段の挿通穴６３に通じている。そして、最下段の構成部材１−５の内面側には、最上段の構成部材１−１のワイヤの挿入穴６２から、挿入されたワイヤ６１の先端を抽出して留めるワイヤの留止穴６４が形成されている。
【００５１】
このようにワイヤによる耐震構造６は、ワイヤ６１を最上段の部材１−１の挿入穴６２から挿入し、最上段の挿通穴６３から、第２段の部材１−２，第３段の部材１−３，第４段の部材１−４、および最終段の部材１−５のそれぞれの挿入穴６２と挿通穴６３を経て、最終的には、最終段の部材１−５の内面に形成された留止穴６４に抽出する。そして、最上段の部材１−１の挿入穴６２内のワイヤを通称ポッチによって固定した後、留止穴６４に抽出したワイヤを緊張して、その先端部分をクリップによって留止固定する。
【００５２】
この耐震と固定を兼ねた構造６によって、組立て家具１０は、各構成部材１−１から１−５に強固に緊締されることになる。耐震試験の結果、震度６弱の地震に相当する揺れに対しても全く崩壊することはなかった。
【符号の説明】
【００５３】
１０１  組立て家具の天板
１０２  組立て家具の本体
１  第１の構成部材    １１  側板  １２  背板  
２  第２の構成部材    ２１  部材天板
３  第３の構成部材    ３１  扉
４  第４の構成部材    ４１  引き出し
５  第５の構成部材    ５１  ガラス製の扉
１０  第１の組立て家具
２０  第２の組立て家具
３０  第３の組立て家具
４０  第４の組立て家具    ４０１  キッチン用部材の配管
５０  第５の組立て家具    ５０１  鏡    ５０２洗面具の配管
６  耐震構造    ６１  ワイヤ    ６２  ワイヤ挿入部    ６３  ワイヤ挿通穴
６４  抽出ワイヤ留止穴
７  組立てダボ
【図１】
2011000427.tif 000003
【図２】
2011000427.tif 000004
【図３】
2011000427.tif 000005
【図４】
2011000427.tif 000006
【図５】
2011000427.tif 000007
【図６】
2011000427.tif 000008
【図１０】
2011000427.tif 000009
【図１１】
2011000427.tif 000010
【図１２】
2011000427.tif 000011
【図７】
2011000427.tif 000012
【図８】
2011000427.tif 000013
【図９】
2011000427.tif 000014